(57)【要約】【課題】バッグ本体の内部に形成された内ポケットの開口部を閉じて安易に開けられないようにすることができて、バッグを一時クローク等で他人に預けた場合であっても、内ポケットに収納した貴重品を確実に保護できるバッグを提供する。【解決手段】バッグ本体の開口部が閉じた状態をロックしうる錠が備えられるとともに、上記バッグ本体の内部に形成された内ポケットの開口部が、上記錠で閉じた状態をロックされうるように形成される。すなわち、上記内ポケットの開口部にファスナーが取り付けられ、上記ファスナーが閉じたときに上記ファスナーのランナーが位置する近傍に被係止部材が設けられ、上記錠は上記ファスナーのランナーと上記被係止部材とに係止してロックしうるように形成される。【選択図】　　　　図３
0003098152.tif 000002
【実用新案登録請求の範囲】
【請求項１】
バッグ本体の開口部が閉じた状態をロックしうる錠が備えられるとともに、上記バッグ本体の内部に形成された内ポケットの開口部が、上記錠で閉じた状態をロックされうるように形成されたことを特徴とするバッグ。
【請求項２】
上記内ポケットの開口部にファスナーが取り付けられ、上記ファスナーが閉じたときに上記ファスナーのランナーが位置する近傍に被係止部材が設けられ、上記錠は上記ファスナーのランナーと上記被係止部材とに係止してロックしうるように形成されたことを特徴とする請求項１記載のバッグ。
【請求項３】
上記被係止部材は紐状部材を用いて輪状に形成されていることを特徴とする請求項２記載のバッグ。
【請求項４】
上記錠は上記ランナーの孔と上記被係止部材の輪の中に挿通しうるフック部材を備えていることを特徴とする請求項２又は３記載のバッグ。
【請求項５】
上記バッグ本体は、その後胴部から前胴部へと上記開口部の上を架け渡しうるベルトを有し、上記前胴部には上記錠のフック部材を挿通しうる被係止孔を先端部に有する棒状被係止部材が突設され、上記ベルトには上記棒状被係止部材が貫通しうる孔が穿設されていることを特徴とする請求項４記載のバッグ。
【考案の詳細な説明】
【０００１】
【考案の属する技術分野】
本考案はバッグに関する。
【０００２】
【従来の技術】
従来のバッグの多くは、そのバッグ本体の開口部を蓋等の部材で閉じられるようにするとともに、バッグ本体の内部に貴重品等を収納するための内ポケットを設けている。
【０００３】
そして、バッグ本体の開口部は、収納物の出し入れが比較的頻繁なので、簡単に開けるように構成されている。
【０００４】
しかしながら、このように、バッグ本体の開口部を簡単に開けるように構成されていた場合は、バッグ本体内に形成された内ポケットも他人にたやすく開けられやすいことから、例えば、外出先でホテル等のクロークにバッグを預けるような場合に、内ポケットから貴重品が抜き取られる心配がある。
【０００５】
【考案が解決しようとする課題】
本考案は、上記の問題を解決すること、すなわち、内ポケットの開口部を閉じて安易に開けられないようにすることができて、バッグを一時クローク等で他人に預けた場合であっても、内ポケットに収納した貴重品を確実に保護できるバッグの提供を課題とする。
【０００６】
【課題を解決するための手段】
上記課題を解決するために、本考案のバッグは、バッグ本体の開口部が閉じた状態をロックしうる錠が備えられるとともに、上記バッグ本体の内部に形成された内ポケットの開口部が、上記錠で閉じた状態をロックされうるように形成されたことを特徴とするものである。
【０００７】
また、上記内ポケットの開口部にファスナーが取り付けられ、上記ファスナーが閉じたときに上記ファスナーのランナーが位置する近傍に被係止部材が設けられ、上記錠は上記ファスナーのランナーと上記被係止部材とに係止してロックしうるように形成されたものとすることができる。
【０００８】
また、上記被係止部材は紐状部材を用いて輪状に形成されているものとすることができる。
【０００９】
また、上記錠は上記ランナーの孔と上記被係止部材の輪の中に挿通しうるフック部材を備えているものとすることができる。
【００１０】
また、上記バッグ本体は、その後胴部から前胴部へと上記開口部の上を架け渡しうるベルトを有し、上記前胴部には上記錠のフック部材を挿通しうる被係止孔を先端部に有する棒状被係止部材が突設され、上記ベルトには上記棒状被係止部材が貫通しうる孔が穿設されているものとすることができる。
【００１１】
【考案の実施の形態】
以下、添付した図面を用いて本考案の実施の形態について説明する。まず、図１に示すように、本実施の形態に係るバッグ１は、バッグ本体２の開口部３が閉じた状態をロックしうる錠４が備えられるとともに、図３に示すように、上記バッグ本体２の内部に形成された内ポケット５の開口部６が、上記錠４で閉じた状態をロックされうるように形成されている。
そして、上記内ポケット５の開口部６にファスナー７が取り付けられ、上記ファスナー７が閉じたときに上記ファスナー７のランナー８が位置する近傍に被係止部材９が設けられ、上記バッグ本体２の開口部３をロックする錠４を用いて上記ファスナー７のランナー８と上記被係止部材９とに係止してロックしうるように形成されている。
また、上記被係止部材９は紐状部材１０を用いて輪状に形成されている。
また、上記錠４は、いわゆる南京錠として形成され、上記ランナー８の孔１１と上記被係止部材９の輪の中に挿通しうるフック部材１２を備えている。
また、上記バッグ本体２は、その後胴部１３から前胴部１４へと上記開口部３の上を架け渡しうるベルト１５を有し、上記前胴部１３には上記錠４のフック部材１２を挿通しうる被係止孔１６を先端部に有する棒状被係止部材１７が突設され、上記ベルト１５には上記棒状被係止部材１７が貫通しうる孔１８が穿設されている。
【００１２】
上記バッグ本体２は、前胴部１４、後胴部１３、左右のマチ部１９，２０、及び底部２１とから成り、上部に開口部３を有している。また、上記前胴部１４と後胴部１３には持ち手２２，２３が取り付けられている。図示はしないが、ショルダーベルトを取り付けることも可能である。なお、本実施の形態に係るバッグ本体２は丈夫な布で製造されているが、素材布に限定せず自由である。
【００１３】
上記バッグ本体２は、上記後胴部１３における上端中央部にはベルト１５が取り付けられ、そのベルト１５には孔１８が穿設されている。このベルト１５は、その後胴部１３から前胴部１４へと上記開口部３の上を架け渡しうる長さを有している。なお、本実施の形態に係るベルト１５は皮革製であるが、素材は自由である。
【００１４】
また、上記バッグ本体２の前胴部１４の外面部における上端中央部には棒状被係止部材１７が外方へ突設されている。そして、その棒状被係止部材１７の先端部には被係止孔１６が穿設されている。なお、本実施の形態に係る棒状被係止部材１７は金属製であるが、素材は自由であり、例えば木製とすることも可能である。
【００１５】
上記棒状被係止部材１７は、上記ベルト１５の孔１８に挿通することができる外径に設定されている。なお、棒状被係止部材１７における上記の被係止孔１６を設けた部位は、上記ベルト１５の孔１８を貫通しうるようになっている。
【００１６】
そして、上記棒状被係止部材１７の被係止孔１６には上記錠４のフック部材１２が挿通しうるようになっている。上記のように、上記錠４のフック部材１２を上記棒状被係止部材１７の被係止孔１６に挿通してロックすると、上記ベルト１５が固定され、上記開口部３は閉じた状態を維持することになる。
【００１７】
上記バッグ本体２の内部、すなわち、上記後胴部１３の内面部には内ポケット５が形成されている。
【００１８】
上記内ポケット５は上辺部に沿って開口部６を有し、その開口部６はバッグ本体２の左右方向に沿って設けられたファスナー７により開閉自在に形成されている。このファスナー７のランナー８を構成する引き手２４には孔１１が設けられている。
【００１９】
また、上記ファスナー７が閉じたときに、上記ファスナー７のランナー８が届く範囲内に被係止部材９が設けられている。なお、本実施の形態では、上記被係止部材９は、紐状部材１０を輪状にすることによって形成されている。
【００２０】
【作用】
上記バッグ本体２の開口部３を開く場合は、上記の錠４を上記棒状被係止部材１７の被係止孔１６から取り外す。そして、バッグ本体２の開口部３を開いた状態で使用すると、上記内ポケット５が無用心となる。すなわち、上記内ポケット５の開口部６が開けられて、その内ポケット５に収納された貴重品が盗難される虞がある。
【００２１】
そこで、上記の錠４を用いて、内ポケット５の開口部５が開かないようにロックする。ロックするには、上記ファスナー７のランナー８を構成する引き手２４に形成された孔１１に上記錠４のフック部材１２を通し、さらに、そのフック部材１２を、上記上記被係止部材９を形成する輪状の紐状部材１０に通してロックすればよい。
【００２２】
その結果、このような状態で、外出先にて、例えばクローク等に一時預けた場合であっても、容易には内ポケットを開けることができず、内ポケット内に収納されたサイフ等貴重品を有効に保護できる。
【００２３】
【考案の効果】
請求項１記載の本考案のバッグは、バッグ本体の開口部が閉じた状態を錠でロックできるので、バッグ本体に収納された物品が盗難されにくい。また、バッグ本体の開口部を開いた状態では、上記の錠により内ポケットの開口部を閉じた状態でロックできるので、その内ポケットに収納された貴重品等を盗難される心配がない。したがって、内ポケットに収納した貴重品等を確実に保護できる
請求項２記載の本考案のバッグは、内ポケットの開口部を開閉するファスナーが閉じたときに、そのファスナーのランナーが位置する近傍に被係止部材が設けられたので、錠をファスナーのランナーと被係止部材とに係止することによって、内ポケットの開口部を容易にロックすることができる。
請求項３記載の本考案のバッグは、紐状部材を輪状にすることによって上記被係止部材を簡単に製作することができる。
請求項４記載の本考案のバッグは、錠のフック部材を、ランナーの孔と被係止部材の輪の中に挿通することによって、簡単にロックすることができる。
請求項５記載の本考案のバッグは、ベルトと、被係止孔を先端部に有する棒状被係止部材とによって、バッグ本体の開口部を容易に閉じることができる。
【図面の簡単な説明】
【図１】バッグ本体の開口部を閉じてロックした状態を示す斜視図である。
【図２】バッグ本体の開口部を閉じるロック部材の斜視図であっる。
【図３】内ポケットの開口部を閉じてロックした状態を示す一部切断斜視図である。
【符号の説明】
１　バッグ
２　バッグ本体
３　開口部
４　錠
５　内ポケット
６　開口部
７　ファスナー
８　ランナー
９　被係止部材
１０　紐状部材
１１　孔
１２　フック部材
１３　後胴部
１４　前胴部
１５　ベルト
１６　被係止孔
１７　棒状被係止部材
１８　孔
１９　マチ部
２０　マチ部
２１　底部
２２　持ち手
２３　持ち手
２４　引き手
【図１】
0003098152.tif 000003
【図２】
0003098152.tif 000004
【図３】
0003098152.tif 000005
【手続補正書】
【提出日】平成15年5月9日(2003.5.9)
【手続補正１】
【補正対象書類名】明細書
【補正対象項目名】全文
【補正方法】変更
【補正の内容】
【考案の詳細な説明】
【実用新案登録請求の範囲】
【請求項１】バッグ本体の開口部を閉じた状態にロックしうるとともに、上記開口部を開いたときは、上記開口部から外して、上記バッグ本体の内部に形成された内ポケットの開口部を閉じた状態にロックしうる錠がバッグ本体と共に備えられたことを特徴とするバッグ。
【請求項２】上記内ポケットの開口部にファスナーが取り付けられ、上記ファスナーが閉じたときに上記ファスナーのランナーが位置する近傍に被係止部材が設けられ、上記錠は上記ファスナーのランナーと上記被係止部材とに係止してロックしうるように形成されたことを特徴とする請求項１記載のバッグ。
【請求項３】上記被係止部材は紐状部材を用いて輪状に形成されていることを特徴とする請求項２記載のバッグ。
【請求項４】上記錠は上記ランナーの孔と上記被係止部材の輪の中に挿通しうるフック部材を備えていることを特徴とする請求項２又は３記載のバッグ。
【請求項５】上記バッグ本体は、その後胴部から前胴部へと上記開口部の上を架け渡しうるベルトを有し、上記前胴部には上記錠のフック部材を挿通しうる被係止孔を先端部に有する棒状被係止部材が突設され、上記ベルトには上記棒状被係止部材が貫通しうる孔が穿設されていることを特徴とする請求項４記載のバッグ。
【考案の詳細な説明】
【０００１】
【考案の属する技術分野】
本考案はバッグに関する。
【０００２】
【従来の技術】
従来のバッグの多くは、そのバッグ本体の開口部を蓋等の部材で閉じられるようにするとともに、バッグ本体の内部に貴重品等を収納するための内ポケットを設けている。
【０００３】
そして、バッグ本体の開口部は、収納物の出し入れが比較的頻繁なので、簡単に開けるように構成されている。
【０００４】
しかしながら、このように、バッグ本体の開口部を簡単に開けるように構成されていた場合は、バッグ本体内に形成された内ポケットも他人にたやすく開けられやすいことから、例えば、外出先でホテル等のクロークにバッグを預けるような場合に、内ポケットから貴重品が抜き取られる心配がある。
【０００５】
【考案が解決しようとする課題】
本考案は、上記の問題を解決すること、すなわち、内ポケットの開口部を閉じて安易に開けられないようにすることができて、バッグを一時クローク等で他人に預けた場合であっても、内ポケットに収納した貴重品を確実に保護できるバッグの提供を課題とする。
【０００６】
【課題を解決するための手段】
上記課題を解決するために、本考案のバッグは、バッグ本体の開口部を閉じた状態にロックしうるとともに、上記開口部を開いたときは、上記開口部から外して、上記バッグ本体の内部に形成された内ポケットの開口部を閉じた状態にロックしうる錠がバッグ本体と共に備えられたことを特徴とするものである。
【０００７】
また、上記内ポケットの開口部にファスナーが取り付けられ、上記ファスナーが閉じたときに上記ファスナーのランナーが位置する近傍に被係止部材が設けられ、上記錠は上記ファスナーのランナーと上記被係止部材とに係止してロックしうるように形成されたものとすることができる。
【０００８】
また、上記被係止部材は紐状部材を用いて輪状に形成されているものとすることができる。
【０００９】
また、上記錠は上記ランナーの孔と上記被係止部材の輪の中に挿通しうるフック部材を備えているものとすることができる。
【００１０】
また、上記バッグ本体は、その後胴部から前胴部へと上記開口部の上を架け渡しうるベルトを有し、上記前胴部には上記錠のフック部材を挿通しうる被係止孔を先端部に有する棒状被係止部材が突設され、上記ベルトには上記棒状被係止部材が貫通しうる孔が穿設されているものとすることができる。
【００１１】
【考案の実施の形態】
以下、添付した図面を用いて本考案の実施の形態について説明する。まず、図１に示すように、本実施の形態に係るバッグ１は、バッグ本体２の開口部３を閉じた状態にロックしうるとともに、上記開口部３を開いたときは、上記開口部３から外して、上記バッグ本体２の内部に形成された内ポケット５の開口部６を閉じた状態にロックしうる錠４がバッグ本体２と共に備えられている。
そして、上記内ポケット５の開口部６にファスナー７が取り付けられ、上記ファスナー７が閉じたときに上記ファスナー７のランナー８が位置する近傍に被係止部材９が設けられ、上記バッグ本体２の開口部３をロックする錠４を用いて上記ファスナー７のランナー８と上記被係止部材９とに係止してロックしうるように形成されている。
また、上記被係止部材９は紐状部材１０を用いて輪状に形成されている。
また、上記錠４は、いわゆる南京錠として形成され、上記ランナー８の孔１１と上記被係止部材９の輪の中に挿通しうるフック部材１２を備えている。
また、上記バッグ本体２は、その後胴部１３から前胴部１４へと上記開口部３の上を架け渡しうるベルト１５を有し、上記前胴部１３には上記錠４のフック部材１２を挿通しうる被係止孔１６を先端部に有する棒状被係止部材１７が突設され、上記ベルト１５には上記棒状被係止部材１７が貫通しうる孔１８が穿設されている。
【００１２】
上記バッグ本体２は、前胴部１４、後胴部１３、左右のマチ部１９，２０、及び底部２１とから成り、上部に開口部３を有している。また、上記前胴部１４と後胴部１３には持ち手２２，２３が取り付けられている。図示はしないが、ショルダーベルトを取り付けることも可能である。なお、本実施の形態に係るバッグ本体２は丈夫な布で製造されているが、素材は布に限定せず自由である。
【００１３】
上記バッグ本体２は、上記後胴部１３における上端中央部にはベルト１５が取り付けられ、そのベルト１５には孔１８が穿設されている。このベルト１５は、その後胴部１３から前胴部１４へと上記開口部３の上を架け渡しうる長さを有している。なお、本実施の形態に係るベルト１５は皮革製であるが、素材は自由である。
【００１４】
また、上記バッグ本体２の前胴部１４の外面部における上端中央部には棒状被係止部材１７が外方へ突設されている。そして、その棒状被係止部材１７の先端部には被係止孔１６が穿設されている。なお、本実施の形態に係る棒状被係止部材１７は金属製であるが、素材は自由であり、例えば木製とすることも可能である。
【００１５】
上記棒状被係止部材１７は、上記ベルト１５の孔１８に挿通することができる外径に設定されている。なお、棒状被係止部材１７における上記の被係止孔１６を設けた部位は、上記ベルト１５の孔１８を貫通しうるようになっている。
【００１６】
そして、上記棒状被係止部材１７の被係止孔１６には上記錠４のフック部材１２が挿通しうるようになっている。上記のように、上記錠４のフック部材１２を上記棒状被係止部材１７の被係止孔１６に挿通してロックすると、上記ベルト１５が固定され、上記開口部３は閉じた状態を維持することになる。
【００１７】
上記バッグ本体２の内部、すなわち、上記後胴部１３の内面部には内ポケット５が形成されている。
【００１８】
上記内ポケット５は上辺部に沿って開口部６を有し、その開口部６はバッグ本体２の左右方向に沿って設けられたファスナー７により開閉自在に形成されている。このファスナー７のランナー８を構成する引き手２４には孔１１が設けられている。
【００１９】
また、上記ファスナー７が閉じたときに、上記ファスナー７のランナー８が届く範囲内に被係止部材９が設けられている。なお、本実施の形態では、上記被係止部材９は、紐状部材１０を輪状にすることによって形成されている。
【００２０】
【作用】
上記バッグ本体２の開口部３を開く場合は、上記の錠４を上記棒状被係止部材１７の被係止孔１６から取り外す。そして、バッグ本体２の開口部３を開いた状態で使用すると、上記内ポケット５が無用心となる。すなわち、上記内ポケット５の開口部６が開けられて、その内ポケット５に収納された貴重品が盗難される虞がある。
【００２１】
そこで、上記の錠４を用いて、内ポケット５の開口部５が開かないようにロックする。ロックするには、上記ファスナー７のランナー８を構成する引き手２４に形成された孔１１に上記錠４のフック部材１２を通し、さらに、そのフック部材１２を、上記被係止部材９を形成する輪状の紐状部材１０に通してロックすればよい。
【００２２】
その結果、このような状態で、外出先にて、例えばクローク等に一時預けた場合であっても、容易には内ポケットを開けることができず、内ポケット内に収納されたサイフ等貴重品を有効に保護できる。
【００２３】
【考案の効果】
請求項１記載の本考案のバッグは、バッグ本体の開口部が閉じた状態を錠でロックできるので、バッグ本体に収納された物品が盗難されにくい。また、バッグ本体の開口部を開いた状態では、上記の錠により内ポケットの開口部を閉じた状態でロックできるので、その内ポケットに収納された貴重品等を盗難される心配がない。したがって、内ポケットに収納した貴重品等を確実に保護できる。
請求項２記載の本考案のバッグは、内ポケットの開口部を開閉するファスナーが閉じたときに、そのファスナーのランナーが位置する近傍に被係止部材が設けられたので、錠をファスナーのランナーと被係止部材とに係止することによって、内ポケットの開口部を容易にロックすることができる。
請求項３記載の本考案のバッグは、紐状部材を輪状にすることによって上記被係止部材を簡単に製作することができる。
請求項４記載の本考案のバッグは、錠のフック部材を、ランナーの孔と被係止部材の輪の中に挿通することによって、簡単にロックすることができる。
請求項５記載の本考案のバッグは、ベルトと、被係止孔を先端部に有する棒状被係止部材とによって、バッグ本体の開口部を容易に閉じることができる。
【図面の簡単な説明】
【図１】バッグ本体の開口部を閉じてロックした状態を示す斜視図である。
【図２】バッグ本体の開口部を閉じるロック部材の斜視図であっる。
【図３】内ポケットの開口部を閉じてロックした状態を示す一部切断斜視図である。
【符号の説明】
１　バッグ
２　バッグ本体
３　開口部
４　錠
５　内ポケット
６　開口部
７　ファスナー
８　ランナー
９　被係止部材
１０　紐状部材
１１　孔
１２　フック部材
１３　後胴部
１４　前胴部
１５　ベルト
１６　被係止孔
１７　棒状被係止部材
１８　孔
１９　マチ部
２０　マチ部
２１　底部
２２　持ち手
２３　持ち手
２４　引き手
【手続補正書】
【提出日】平成15年8月8日(2003.8.8)
【手続補正１】
【補正対象書類名】明細書
【補正対象項目名】全文
【補正方法】変更
【補正の内容】
【考案の詳細な説明】
【実用新案登録請求の範囲】
【請求項１】バッグ本体の開口部を閉じる部材に被係止部材が設けられ、その被係止部材に係止してバッグ本体の開口部を閉じた状態をロック可能な錠が備えられ、上記バッグ本体の内部に形成された内ポケットの開口部にも、上記バッグ本体の開口部を開くときに取り外された上記の錠が係止して、その内ポケットの開口部が閉じた状態をロック可能な被係止部材が設けられたことを特徴とするバッグ。
【請求項２】上記内ポケットの開口部にファスナーが取り付けられ、上記ファスナーが閉じたときに上記ファスナーのランナーが位置する近傍に被係止部材が設けられ、上記錠は上記ファスナーのランナーと上記被係止部材とに係止してロックしうるように形成されたことを特徴とする請求項１記載のバッグ。
【請求項３】上記被係止部材は紐状部材を用いて輪状に形成されていることを特徴とする請求項２記載のバッグ。
【請求項４】上記錠は上記ランナーの孔と上記被係止部材の輪の中に挿通しうるフック部材を備えていることを特徴とする請求項２又は３記載のバッグ。
【請求項５】上記バッグ本体は、その後胴部から前胴部へと上記開口部の上を架け渡しうるベルトを有し、上記前胴部には上記錠のフック部材を挿通しうる被係止孔を先端部に有する棒状被係止部材が突設され、上記ベルトには上記棒状被係止部材が貫通しうる孔が穿設されていることを特徴とする請求項４記載のバッグ。
【考案の詳細な説明】
【０００１】
【考案の属する技術分野】
本考案はバッグに関する。
【０００２】
【従来の技術】
従来のバッグの多くは、そのバッグ本体の開口部を蓋等の部材で閉じられるようにするとともに、バッグ本体の内部に貴重品等を収納するための内ポケットを設けている。
【０００３】
そして、バッグ本体の開口部は、収納物の出し入れが比較的頻繁なので、簡単に開けるように構成されている。
【０００４】
しかしながら、このように、バッグ本体の開口部を簡単に開けるように構成されていた場合は、バッグ本体内に形成された内ポケットも他人にたやすく開けられやすいことから、例えば、外出先でホテル等のクロークにバッグを預けるような場合に、内ポケットから貴重品が抜き取られる心配がある。
【０００５】
【考案が解決しようとする課題】
本考案は、上記の問題を解決すること、すなわち、内ポケットの開口部を閉じて安易に開けられないようにすることができて、バッグを一時クローク等で他人に預けた場合であっても、内ポケットに収納した貴重品を確実に保護できるバッグの提供を課題とする。
【０００６】
【課題を解決するための手段】
上記課題を解決するために、本考案のバッグは、バッグ本体の開口部を閉じる部材に被係止部材が設けられ、その被係止部材に係止してバッグ本体の開口部を閉じた状態をロック可能な錠が備えられ、上記バッグ本体の内部に形成された内ポケットの開口部にも、上記バッグ本体の開口部を開くときに取り外された上記の錠が係止して、その内ポケットの開口部が閉じた状態をロック可能な被係止部材が設けられたことを特徴とするものである。
【０００７】
また、上記内ポケットの開口部にファスナーが取り付けられ、上記ファスナーが閉じたときに上記ファスナーのランナーが位置する近傍に被係止部材が設けられ、上記錠は上記ファスナーのランナーと上記被係止部材とに係止してロックしうるように形成されたものとすることができる。
【０００８】
また、上記被係止部材は紐状部材を用いて輪状に形成されているものとすることができる。
【０００９】
また、上記錠は上記ランナーの孔と上記被係止部材の輪の中に挿通しうるフック部材を備えているものとすることができる。
【００１０】
また、上記バッグ本体は、その後胴部から前胴部へと上記開口部の上を架け渡しうるベルトを有し、上記前胴部には上記錠のフック部材を挿通しうる被係止孔を先端部に有する棒状被係止部材が突設され、上記ベルトには上記棒状被係止部材が貫通しうる孔が穿設されているものとすることができる。
【００１１】
【考案の実施の形態】
以下、添付した図面を用いて本考案の実施の形態について説明する。まず、図１に示すように、本実施の形態に係るバッグ１は、バッグ本体２の開口部３を閉じる部材に被係止部材１７が設けられ、その被係止部材１７に係止してバッグ本体２の開口部３を閉じた状態をロック可能な錠４が備えられ、上記バッグ本体２の内部に形成された内ポケット５の開口部６にも、上記バッグ本体２の開口部３を開くときに取り外された上記の錠４が係止して、その内ポケット５の開口部６が閉じた状態をロック可能な被係止部材９が設けられている。
そして、上記内ポケット５の開口部６にファスナー７が取り付けられ、上記ファスナー７が閉じたときに上記ファスナー７のランナー８が位置する近傍に被係止部材９が設けられ、上記バッグ本体２の開口部３をロックする錠４を用いて上記ファスナー７のランナー８と上記被係止部材９とに係止してロックしうるように形成されている。
また、上記被係止部材９は紐状部材１０を用いて輪状に形成されている。
また、上記錠４は、いわゆる南京錠として形成され、上記ランナー８の孔１１と上記被係止部材９の輪の中に挿通しうるフック部材１２を備えている。
また、上記バッグ本体２は、その後胴部１３から前胴部１４へと上記開口部３の上を架け渡しうるベルト１５を有し、上記前胴部１３には上記錠４のフック部材１２を挿通しうる被係止孔１６を先端部に有する棒状被係止部材１７が突設され、上記ベルト１５には上記棒状被係止部材１７が貫通しうる孔１８が穿設されている。
【００１２】
上記バッグ本体２は、前胴部１４、後胴部１３、左右のマチ部１９，２０、及び底部２１とから成り、上部に開口部３を有している。また、上記前胴部１４と後胴部１３には持ち手２２，２３が取り付けられている。図示はしないが、ショルダーベルトを取り付けることも可能である。なお、本実施の形態に係るバッグ本体２は丈夫な布で製造されているが、素材は布に限定せず自由である。
【００１３】
上記バッグ本体２は、上記後胴部１３における上端中央部にはベルト１５が取り付けられ、そのベルト１５には孔１８が穿設されている。このベルト１５は、その後胴部１３から前胴部１４へと上記開口部３の上を架け渡しうる長さを有している。なお、本実施の形態に係るベルト１５は皮革製であるが、素材は自由である。
【００１４】
また、上記バッグ本体２の前胴部１４の外面部における上端中央部には棒状被係止部材１７が外方へ突設されている。そして、その棒状被係止部材１７の先端部には被係止孔１６が穿設されている。なお、本実施の形態に係る棒状被係止部材１７は金属製であるが、素材は自由であり、例えば木製とすることも可能である。
【００１５】
上記棒状被係止部材１７は、上記ベルト１５の孔１８に挿通することができる外径に設定されている。なお、棒状被係止部材１７における上記の被係止孔１６を設けた部位は、上記ベルト１５の孔１８を貫通しうるようになっている。
【００１６】
そして、上記棒状被係止部材１７の被係止孔１６には上記錠４のフック部材１２が挿通しうるようになっている。上記のように、上記錠４のフック部材１２を上記棒状被係止部材１７の被係止孔１６に挿通してロックすると、上記ベルト１５が固定され、上記開口部３は閉じた状態を維持することになる。
【００１７】
上記バッグ本体２の内部、すなわち、上記後胴部１３の内面部には内ポケット５が形成されている。
【００１８】
上記内ポケット５は上辺部に沿って開口部６を有し、その開口部６はバッグ本体２の左右方向に沿って設けられたファスナー７により開閉自在に形成されている。このファスナー７のランナー８を構成する引き手２４には孔１１が設けられている。
【００１９】
また、上記ファスナー７が閉じたときに、上記ファスナー７のランナー８が届く範囲内に被係止部材９が設けられている。なお、本実施の形態では、上記被係止部材９は、紐状部材１０を輪状にすることによって形成されている。
【００２０】
【作用】
上記バッグ本体２の開口部３を開く場合は、上記の錠４を上記棒状被係止部材１７の被係止孔１６から取り外す。そして、バッグ本体２の開口部３を開いた状態で使用すると、上記内ポケット５が無用心となる。すなわち、上記内ポケット５の開口部６が開けられて、その内ポケット５に収納された貴重品が盗難される虞がある。
【００２１】
そこで、上記の錠４を用いて、内ポケット５の開口部６が開かないようにロックする。ロックするには、上記ファスナー７のランナー８を構成する引き手２４に形成された孔１１に上記錠４のフック部材１２を通し、さらに、そのフック部材１２を、上記被係止部材９を形成する輪状の紐状部材１０に通してロックすればよい。
【００２２】
その結果、このような状態で、外出先にて、例えばクローク等に一時預けた場合であっても、容易には内ポケットを開けることができず、内ポケット内に収納されたサイフ等貴重品を有効に保護できる。
【００２３】
【考案の効果】
請求項１記載の本考案のバッグは、バッグ本体の開口部が閉じた状態を錠でロックできるので、バッグ本体に収納された物品が盗難されにくい。また、バッグ本体の開口部を開いた状態では、上記の錠により内ポケットの開口部を閉じた状態でロックできるので、その内ポケットに収納された貴重品等を盗難される心配がない。したがって、内ポケットに収納した貴重品等を確実に保護できる。
請求項２記載の本考案のバッグは、内ポケットの開口部を開閉するファスナーが閉じたときに、そのファスナーのランナーが位置する近傍に被係止部材が設けられたので、錠をファスナーのランナーと被係止部材とに係止することによって、内ポケットの開口部を容易にロックすることができる。
請求項３記載の本考案のバッグは、紐状部材を輪状にすることによって上記被係止部材を簡単に製作することができる。
請求項４記載の本考案のバッグは、錠のフック部材を、ランナーの孔と被係止部材の輪の中に挿通することによって、簡単にロックすることができる。
請求項５記載の本考案のバッグは、ベルトと、被係止孔を先端部に有する棒状被係止部材とによって、バッグ本体の開口部を容易に閉じることができる。
【図面の簡単な説明】
【図１】バッグ本体の開口部を閉じてロックした状態を示す斜視図である。
【図２】バッグ本体の開口部を閉じるロック部材の斜視図であっる。
【図３】内ポケットの開口部を閉じてロックした状態を示す一部切断斜視図である。
【符号の説明】
１　バッグ
２　バッグ本体
３　開口部
４　錠
５　内ポケット
６　開口部
７　ファスナー
８　ランナー
９　被係止部材
１０　紐状部材
１１　孔
１２　フック部材
１３　後胴部
１４　前胴部
１５　ベルト
１６　被係止孔
１７　棒状被係止部材
１８　孔
１９　マチ部
２０　マチ部
２１　底部
２２　持ち手
２３　持ち手
２４　引き手